(57)【要約】【課題】操作対象装置の複数の機能の状態を一度の操作によって一括して設定することができる制御装置及び制御システムを提供する。【解決手段】制御システム１は、なぞり操作を受け付ける入力装置２と、複数の機能を有する操作対象装置と、制御装置６と、を備えて概略構成されている。この制御装置６は、入力装置２になされたなぞり操作の軌跡に応じて操作対象装置の複数の機能の状態を一括で設定する制御部６０を備えて概略構成されている。【選択図】図５
2020157926.tif 000002
【特許請求の範囲】
【請求項１】
入力装置になされたなぞり操作の軌跡に応じて操作対象装置の複数の機能の状態を一括で設定する制御部を備えた制御装置。
【請求項２】
前記操作対象装置は、車両の空調装置であり、
前記複数の機能は、温度を調整する機能、風量を調整する機能、及び吹出口を選択する機能であり、
前記制御部は、前記温度を調整する機能、前記風量を調整する機能、及び前記吹出口を選択する機能のうち、少なくとも２つの機能の状態を前記軌跡に基づいて設定する、
請求項１に記載の制御装置。
【請求項３】
表示装置には、なぞり操作の起点の目安となる第１の画像、及び吹出口の目安となる第２の画像を有する空調設定画面が表示され、
前記制御部は、前記入力装置を介して行われた前記第１の画像から前記第２の画像に向かうなぞり操作の前記軌跡の長さにより前記風量を調整し、前記軌跡の方向により前記吹出口を選択する、
請求項２に記載の制御装置。
【請求項４】
前記制御部は、前記軌跡の終端が上に向かっている場合は前記温度を上げ、前記軌跡の前記終端が下に向かっている場合は前記温度を下げるように前記空調装置を制御する、
請求項２又は３に記載の制御装置。
【請求項５】
なぞり操作を受け付ける前記入力装置と、
前記複数の機能を有する前記操作対象装置と、
請求項１乃至４の少なくとも１項に記載された前記制御装置と、
を備えた制御システム。
【発明の詳細な説明】
【技術分野】
【０００１】
本発明は、制御装置及び制御システムに関する。
【背景技術】
【０００２】
従来の技術として、複数の変更対象（例えば、吹出温度、風量、吹出口）のうち選択された１つの変更対象の状態を回転操作によって変更するダイヤルと、変更対象の状態を表示するとともにダイヤルによる変更を表示するディスプレイと、を備えた車両用空調装置のコントロールパネルが知られている（例えば、特許文献１参照。）。
【０００３】
この車両用空調装置のコントロールパネルは、通常画面でディスプレイを２回押して、ディスプレイを吹出口の変更画面に切替え、ダイヤルの回転操作で吹出口を変更することができる。
【先行技術文献】
【特許文献】
【０００４】
【特許文献１】特開２００６−２０５７５２号公報
【発明の概要】
【発明が解決しようとする課題】
【０００５】
しかし従来の車両用空調装置のコントロールパネルは、一度の操作によって複数の変更対象を一括して変更することができない。
【０００６】
従って本発明の目的は、操作対象装置の複数の機能の状態を一度の操作によって一括して設定することができる制御装置及び制御システムを提供することにある。
【課題を解決するための手段】
【０００７】
本発明の一態様は、入力装置になされたなぞり操作の軌跡に応じて操作対象装置の複数の機能の状態を一括で設定する制御部を備えた制御装置を提供する。
【発明の効果】
【０００８】
本発明によれば、操作対象装置の複数の機能の状態を一度の操作によって一括して設定することができる制御装置及び制御システムを提供する。
【図面の簡単な説明】
【０００９】
【図１】図１（ａ）は、実施の形態に係る車両内部の一例を示す概略図であり、図１（ｂ）は、制御システムのブロック図の一例である。
【図２】図２（ａ）は、実施の形態に係る表示装置の投影領域の一例を示す概略図であり、図２（ｂ）は、ステアリングの一例を示す概略図である。
【図３】図３（ａ）は、実施の形態に係る左側のタッチパッドユニットの一例を示す概略図であり、図３（ｂ）は、右側のタッチパッドユニットの一例を示す概略図である。
【図４】図４（ａ）は、実施の形態に係る投影領域に表示された空調設定画面の一例を示す概略図であり、図４（ｂ）は、ステアリングの左側のタッチパッドになされたなぞり操作の一例を示す概略図である。
【図５】図５（ａ）は、実施の形態に係る空調設定画面の一例を示す概略図であり、図５（ｂ）は、軌跡に応じて複数の機能の状態を一括して設定する一例について説明するための概略図である。
【図６】図６は、実施の形態に係る制御システムの動作の一例を示すフローチャートである。
【図７】図７（ａ）は、他の実施の形態に係る軌跡に応じて３つの機能の状態を一括して設定する一例について説明するための概略図であり、図７（ｂ）は、温度を上げる又は下げる判定の一例を説明するための概略図である。
【発明を実施するための形態】
【００１０】
（実施の形態の要約）
実施の形態に係る制御装置は、入力装置になされたなぞり操作の軌跡に応じて操作対象装置の複数の機能の状態を一括で設定する制御部を備えて概略構成されている。
【００１１】
この制御装置は、なぞり操作の軌跡に基づいて操作対象装置の複数の機能の状態を一括して設定することができる。
【００１２】
[実施の形態]
（制御システム１の概要）
なお以下に記載する実施の形態に係る各図において、図形間の比率は、実際の比率とは異なる場合がある。また図１（ｂ）では、主な信号や情報の流れを矢印で示している。
【００１３】
制御システム１は、図１（ａ）〜図２（ｂ）に示すように、なぞり操作を受け付ける入力装置２と、複数の機能を有する操作対象装置と、制御装置６と、を備えて概略構成されている。
【００１４】
この制御装置６は、入力装置２になされたなぞり操作の軌跡に応じて操作対象装置の複数の機能の状態を一括で設定する制御部６０を備えて概略構成されている。
【００１５】
本実施の形態の操作対象装置は、一例として、車両の空調装置８９である。また本実施の形態の複数の機能は、温度を調整する機能、風量を調整する機能、及び吹出口を選択する機能である。そして制御部６０は、温度を調整する機能、風量を調整する機能、及び吹出口を選択する機能のうち、少なくとも２つの機能の状態を軌跡に基づいて設定する。
【００１６】
なお操作対象装置は、空調装置８９に限定されず、車両８の他の車載装置であっても良い。この車載装置とは、一例として、音楽及び映像再生装置、ナビゲーション装置、電動シート装置、クルーズコントロール装置、レーンキープ装置、自動運転装置、車両８に関する各種設定を行うことができる車両制御装置などである。
【００１７】
車両８は、一例として、図１（ａ）に示すように、メータパネル８３に配置されたメータディスプレイ８４、センターコンソール８１ｂに配置されたメインディスプレイ８６、インストルメントパネル８１ｃに配置され、フロントガラス８８の投影領域８７０に表示対象を投影するヘッドアップディスプレイ８７、及びフロントガラス８８に配置されたルームミラーモニタ８８０などの表示装置を備えている。
【００１８】
制御システム１は、これらのうち、少なくとも１つの表示装置に階層式のＧＵＩ（＝Graphical User Interface）の表示画面を表示させるように構成されている。本実施の形態の制御システム１は、例えば、図２（ａ）に示すように、表示装置５としてヘッドアップディスプレイ８７の投影領域８７０にＧＵＩの表示画面を表示させるように構成されている。このＧＵＩの表示画面には、制御システム１によって制御可能な機能や設定値が画像として表示される。従って制御システム１は、入力装置２と表示装置５とが離れた遠隔操作システムである。
【００１９】
（入力装置２の構成）
本実施の形態の入力装置２は、図１（ｂ）に示すように、タッチパッドユニット２ａ及びタッチパッドユニット２ｂを備えている。
【００２０】
このタッチパッドユニット２ａ及びタッチパッドユニット２ｂは、例えば、図２（ｂ）に示すように、ステアリング８５の左右のスポーク部（スポーク部８５１及びスポーク部８５２）に配置されている。このスポーク部８５１及びスポーク部８５２は、警報機やエアバッグなどが配置された基部８５０と、ユーザが把持するリング部８５３と、を連結するものである。またスポーク部８５１及びスポーク部８５２は、例えば、図２（ｂ）に示すように、車両８が直進する状態のステアリング位置において略水平に伸びて基部８５０とリング部８５３とを連結している。
【００２１】
タッチパッドユニット２ａ及びタッチパッドユニット２ｂは、ユーザがリング部８５３とスポーク部８５１及びスポーク部８５２との連結部分周辺を左手９ａ及び右手９ｂで把持した状態で操作可能となっている。図２（ｂ）では、ユーザがステアリング８５を把持した状態で操作指９０（左手９ａの親指）を用いて操作面３０ａになぞり操作を行っている場合を図示している。なお制御システム１は、タッチパッドユニット２ａ及びタッチパッドユニット２ｂのいずれか一方を備える構成であっても良い。
【００２２】
また入力装置２は、タッチパッドユニット２ａ及びタッチパッドユニット２ｂに限定されず、運転席８０ａと助手席８０ｂの間に位置するフロアコンソール８１ａのタッチパッド８２を用いて構成されても良いし、センターコンソール８１ｂやドアトリム８１ｄに配置されたタッチパッドを用いても良い。
【００２３】
タッチパッドユニット２ａ及びタッチパッドユニット２ｂは、それぞれがタッチパッド３及びスイッチ４を備えて概略構成されている。ユーザは、タッチパッドユニット２ａ及びタッチパッドユニット２ｂを用いて空調装置８９の複数の機能を操作する。
【００２４】
（タッチパッド３の構成）
タッチパッドユニット２ａのタッチパッド３は、図３（ａ）及び図３（ｂ）に示すように、矩形の操作面３０ａを有する本体３０を備えている。タッチパッドユニット２ｂのタッチパッド３は、一例として、図３（ｂ）に示すように、タッチパッドユニット２ａのタッチパッド３と同形状とされている。なおタッチパッド３の形状は、これに限定されない。以下では、主にタッチパッドユニット２ａについて説明する。
【００２５】
タッチパッド３は、操作面３０ａに対するタッチ入力、なぞり操作やフリック操作などを検出するように構成されている。タッチパッド３は、例えば、抵抗膜方式や静電容量方式などのタッチパッドを用いることが可能である。本実施の形態のタッチパッド３は、一例として、静電容量方式のタッチパッドを用いている。左右のタッチパッド３は、検出した結果を示す検出情報Ｓ１及び検出情報Ｓ３を制御部６０に出力する。
【００２６】
ユーザは、例えば、タッチパッド３に対してプッシュ操作を行うことによって選択の決定（選択決定）を行うことができる。
【００２７】
タッチパッド３の操作面３０ａは、例えば、図３（ａ）及び図３（ｂ）の紙面において点線によってメニュー入力領域３０１とダイレクト入力領域３０２とに分かれている。なお図３（ａ）及び図３（ｂ）に示す点線は、説明のために付された線であって実際に付された線ではない。このメニュー入力領域３０１とダイレクト入力領域３０２を分かつ線は、印刷などで操作面３０ａに形成されても良い。またダイレクト入力領域３０２のマークは、操作可能な機能を模して示したものであり、印刷によって操作面３０ａに設けられている。
【００２８】
ここで右側のタッチパッド３は、図３（ａ）及び図３（ｂ）に示すように、左側のタッチパッド３とメニュー入力領域３０１とダイレクト入力領域３０２とが入れ替わった配置となっている。つまりステアリング８５のリング部８５３側には、ダイレクト入力領域３０２が設定され、基部８５０側には、メニュー入力領域３０１が設定されている。これはステアリング８５を把持した状態でタッチ入力し易い位置にダイレクト入力領域３０２を配置し、操作指を伸ばしてなぞり操作し易い位置にメニュー入力領域３０１を配置したためである。
【００２９】
タッチパッドユニット２ａのタッチパッド３のメニュー入力領域３０１は、図２（ａ）及び図３（ａ）に示すように、投影領域８７０のメニュー表示領域８７４に表示されたメニューリスト８７８を上下にスクロールさせることができる領域である。またタッチパッドユニット２ｂのタッチパッド３のメニュー入力領域３０１は、図２（ａ）及び図３（ｂ）に示すように、投影領域８７０のメニュー表示領域８７６に表示されたメニューリストを上下にスクロールさせることができる領域である。なおメニュー入力領域３０１は、メニューリストなどのスクロールに限定されず、カーソルなどの移動を可能とされても良い。
【００３０】
タッチパッドユニット２ａのタッチパッド３のダイレクト入力領域３０２は、図２（ａ）及び図３（ａ）に示すように、第１のタッチ領域３０２ａ〜第３のタッチ領域３０２ｃが投影領域８７０のダイレクト表示領域８７５に表示されたアイコン８７５ａ〜アイコン８７５ｃに対応している。ユーザは、タッチパッドユニット２ａ側のダイレクト入力領域３０２のタッチ領域にタッチ入力を行うことでアイコン８７５ａ〜アイコン８７５ｃの中から所望のアイコンを選択することができる。
【００３１】
アイコン８７５ａは、左側のタッチパッド３を介して指示した処理がなされた場合、処理がなされる前の状態に戻ることができる機能が割り付けられている。アイコン８７５ｂは、音量を上げる機能が割り付けられている。アイコン８７５ｃは、音量を下げる機能が割り付けられている。
【００３２】
タッチパッドユニット２ｂのタッチパッド３のダイレクト入力領域３０２は、図２（ａ）及び図３（ｂ）に示すように、第１のタッチ領域３０２ｄ〜第３のタッチ領域３０２ｆが投影領域８７０のダイレクト表示領域８７７に表示されたアイコン８７７ａ〜アイコン８７７ｃに対応している。ユーザは、タッチパッドユニット２ｂのタッチパッド３のダイレクト入力領域３０２の第１のタッチ領域３０２ｄ〜第３のタッチ領域３０２ｆのいずれかにタッチ入力を行うことでアイコン８７７ａ〜アイコン８７７ｃの中から所望のアイコンを選択することができる。
【００３３】
アイコン８７７ａは、右側のタッチパッド３を介して指示した処理がなされた場合、処理がなされる前の状態に戻ることができる機能が割り付けられている。アイコン８７７ｂは、運転補助機能であるオートクルーズコントロール機能が割り付けられている。アイコン８７７ｃは、運転補助機能であるレーンキープアシスト機能が割り付けられている。
【００３４】
制御装置６は、タッチパッド３のダイレクト入力領域３０２に対してタッチ入力に適した絶対座標系を設定する。また制御装置６は、表示装置５の表示に応じてメニュー入力領域３０１に対して相対座標系又は絶対座標系を設定する。制御装置６は、なぞり操作が適した表示である場合、相対座標系をメニュー入力領域３０１に設定し、タッチ入力が適した表示である場合、絶対座標系をメニュー入力領域３０１に設定する。
【００３５】
（スイッチ４の構成）
スイッチ４は、図３（ａ）及び図３（ｂ）に示すように、操作面３０ａの中央付近に配置されている。このスイッチ４は、タッチパッド３の押し下げ、つまり操作面３０ａになされたプッシュ操作を検出するマイクロスイッチである。
【００３６】
スイッチ４は、タッチパッド３と筐体１０とが接触するように弾性力を付加している。従ってスイッチ４は、初期荷重（プリロード）が付加されている。
【００３７】
スイッチ４は、プッシュ操作によってボタン４０が押し込まれてオン状態となり、プッシュ操作が終了するとタッチパッド３の上昇と共にボタン４０が元の位置に戻ってオフ状態となるように構成されている。なおスイッチ４は、マイクロスイッチのような機械式スイッチに限定されず、磁気センサなどを用いた非接触スイッチやプッシュ操作に伴う荷重を検出することでプッシュ操作を検出する荷重センサなどであっても良い。
【００３８】
スイッチ４は、オン状態となるとスイッチ信号を制御装置６に出力する。タッチパッドユニット２ａのスイッチ４は、スイッチ信号Ｓ２を制御装置６に出力する。またタッチパッドユニット２ｂのスイッチ４は、スイッチ信号Ｓ４を制御装置６に出力する。
【００３９】
（表示装置５の構成）
表示装置５は、有機ＥＬ（＝Electro-Luminescence）ディスプレイ、液晶ディスプレイやヘッドアップディスプレイなどである。本実施の形態の表示装置５は、上述のように、ヘッドアップディスプレイ８７である。
【００４０】
ヘッドアップディスプレイ８７の投影領域８７０は、図２（ａ）に示すように、左表示領域８７１、右表示領域８７２及び中央表示領域８７３を有している。
【００４１】
左表示領域８７１は、ステアリング８５の左側に配置されたタッチパッド３に対応した表示領域である。この左表示領域８７１は、メニュー表示領域８７４と、ダイレクト表示領域８７５と、を備えている。
【００４２】
メニュー表示領域８７４は、タッチパッドユニット２ａのメニュー入力領域３０１になされた操作に基づいてメニュー、アイコン及びカーソルなどを表示する領域である。
【００４３】
ダイレクト表示領域８７５は、タッチパッドユニット２ａのダイレクト入力領域３０２の第１のタッチ領域３０２ａ〜第３のタッチ領域３０２ｃに対応する表示を行う領域である。
【００４４】
右表示領域８７２は、ステアリング８５の右側に配置されたタッチパッド３に対応した表示領域である。この右表示領域８７２は、メニュー表示領域８７６と、ダイレクト表示領域８７７と、を備えている。
【００４５】
メニュー表示領域８７６は、タッチパッドユニット２ｂのメニュー入力領域３０１になされた操作に基づいてメニュー、アイコン及びカーソルなどを表示する領域である。
【００４６】
ダイレクト表示領域８７７は、タッチパッドユニット２ｂのダイレクト入力領域３０２の第１のタッチ領域３０２ｄ〜第３のタッチ領域３０２ｆに対応する表示を行う領域である。
【００４７】
ユーザは、左右のタッチパッド３のメニュー入力領域３０１に操作を行うことにより、メニュー表示領域８７４及びメニュー表示領域８７６に表示されたアイコンの選択及び決定、メニューのスクロール、カーソルの操作などを行うことができる。
【００４８】
またユーザは、左右のタッチパッド３のダイレクト入力領域３０２に操作を行うことにより、ダイレクト表示領域８７５及びダイレクト表示領域８７７に表示されたアイコンを選択、決定することができる。
【００４９】
中央表示領域８７３は、入力装置２によって選択、決定された機能に関する画像８７３ａが表示される。
【００５０】
（制御装置６の構成）
制御装置６の制御部６０は、例えば、記憶されたプログラムに従って、取得したデータに演算、加工などを行うＣＰＵ（＝Central Processing Unit）、半導体メモリであるＲＡＭ（＝Random Access Memory）６１及びＲＯＭ（＝Read Only Memory）などから構成されるマイクロコンピュータである。このＲＯＭには、例えば、制御部６０が動作するためのプログラムが格納されている。ＲＡＭ６１は、例えば、一時的に演算結果などを格納する記憶領域として用いられる。またＲＡＭ６１は、空調装置８９から取得した、表示装置５に表示させる画像の情報である画像情報８９０を記憶する。
【００５１】
制御部６０は、取得した画像情報８９０に基づいて表示制御情報Ｓ５を生成して表示装置５を制御する。表示装置５は、表示制御情報Ｓ５に基づいて画像を表示させる。本実施の形態の表示装置５は、ヘッドアップディスプレイ８７であるので、表示制御情報Ｓ５に基づいて投影領域８７０に画像を表示する。
【００５２】
制御部６０は、入力装置２になされたなぞり操作の軌跡に応じて空調装置８９の温度を調整する機能、風量を調整する機能、及び吹出口を選択する機能の状態を一括で設定する。以下では、まず風量を調整する機能、及び吹出口を選択する機能の状態を一括で設定する場合について説明する。なお制御部６０は、なぞり操作の軌跡に基づいて異なる機能の状態を一括で設定するがこれに限定されず、フリック操作の軌跡でも良い。
【００５３】
空調設定画面８７９は、図２（ａ）のメニュー表示領域８７４に表示されたメニューリスト８７８がスクロールされ、「エアコン」が選択決定されたことで画面遷移して表示された画面である。なおメニューリスト８７８は、図２（ａ）では、「オーディオ」、「ナビ」及び「エアコン」の３つの項目が表示されているが、スクロールさせることにより、他の項目が表示される。
【００５４】
表示装置５には、図４（ａ）に示すように、なぞり操作の起点の目安となる第１の画像、及び吹出口の目安となる第２の画像を有する空調設定画面８７９が表示される。制御部６０は、入力装置２を介して行われた第１の画像から第２の画像に向かうなぞり操作の軌跡の長さにより風量を調整し、軌跡の方向により吹出口を選択する。
【００５５】
具体的には、空調設定画面８７９には、図５（ａ）に示すように、空調設定画像７が表示される。この空調設定画像７は、第１の画像７１〜第５の画像７５を有している。
【００５６】
第１の画像７１は、風量を連想させるファンを模した画像である。この第１の画像７１は、ユーザのなぞり操作の起点の目安となる画像である。そして制御部６０は、なぞり操作の軌跡３０３の長さに応じて風量を調整する。
【００５７】
第２の画像７２は、シートに座るユーザを連想させる人を模した画像である。この第２の画像７２は、空調装置８９が生成した風を第２の画像７２のどの位置に送るかを指定することで吹出口の選択を可能としている。
【００５８】
ユーザは、図４（ｂ）、図５（ａ）及び図５（ｂ）に示すように、風量と吹出口を一括して設定する際、タッチパッド３の操作面３０ａに対し、起点となる第１の画像７１から、風を送りたい場所に対応する第２の画像７２の場所に向かってなぞり操作を行う。つまりユーザは、足元に風を送りたい場合、第１の画像７１を起点として第２の画像７２の足元に向かってなぞり操作を行うことで、足元に風を送る吹出口の選択を行うことができる。
【００５９】
本実施の形態の吹出口は、例えば、図５（ａ）に示すように、上半身側吹出口、大腿部側吹出口、及び足元側吹出口であるが吹出口の数や方向は限定されない。空調設定画面８７９には、この３つの吹出口の風量がわかるように、第３の画像７３〜第５の画像７５が表示されている。
【００６０】
第３の画像７３は、第１の画像７１から第２の画像７２の顔周辺に向かうインジケータ画像となっている。このインジケータ画像とは、風の方向と風量とを情報として有している画像のことを示している。第３の画像７３は、上半身側吹出口の選択とその吹出口から送られる風の風量とを示している。本実施の形態では、弱、中、強の三段階で風量が調整できる。図５（ａ）は、上半身側吹出口の風量が弱、大腿部側吹出口の風量が弱、足元側吹出口が強である場合を示している。
【００６１】
第４の画像７４は、第１の画像７１から第２の画像７２の腰周辺に向かうインジケータ画像となっている。第４の画像７４は、大腿部側吹出口の選択とその吹出口から送られる風の風量とを示している。
【００６２】
第５の画像７５は、第１の画像７１から第２の画像７２の足元周辺に向かうインジケータ画像となっている。第５の画像７５は、足元側吹出口の選択とその吹出口から送られる風の風量とを示している。
【００６３】
この第３の画像７３〜第５の画像７５は、なぞり操作のガイドとしても機能する。ユーザは、第３の画像７３〜第５の画像７５をなぞることで所望の吹出口、及び風量を一括して設定し易くなる。
【００６４】
つまりユーザは、図５（ａ）に示す矢印Ａ方向及び矢印Ｂ方向になぞり操作の向きを調整することによって吹出口を選択し、矢印Ｃ方向の長さによって風量を調整する。
【００６５】
ここで風量の再調整は、調整したいインジケータ画像近傍を、強くする場合は第２の画像７２の方向になぞり、弱くする場合は第１の画像７１の方向になぞって行われる。また送風の停止は、例えば、送風を停止したい吹出口のインジケータ画像付近を第２の画像７２から第１の画像７１に向かってなぞることで行われる。
【００６６】
入力装置２がマルチタッチ可能である場合、複数の操作指でなぞり操作を行うことにより、複数箇所の吹出口の風量を調整することが可能である。
【００６７】
制御部６０は、図５（ｂ）に示すように、第１の画像７１を起点として設定した第１の吹出口領域７６、第２の吹出口領域７７及び第３の吹出口領域７８に基づいて吹出口を判定する。
【００６８】
図５（ｂ）では、タッチパッド３になされたなぞり操作の軌跡３０３を空調設定画像７に反映させている。第１の吹出口領域７６〜第３の吹出口領域７８は、第１の画像７１を頂点とした扇形状の領域である。
【００６９】
制御部６０は、軌跡３０３が含まれる領域の吹出口がユーザによって選択されたと判定する。制御部６０は、軌跡３０３が第１の吹出口領域７６に含まれる場合、上半身側吹出口が選択されたと判定し、第２の吹出口領域７７に含まれている場合、大腿部側吹出口が選択されたと判定し、第３の吹出口領域７８に含まれている場合、足元側吹出口が選択されたと判定する。
【００７０】
なお制御部６０は、軌跡３０３が複数の領域に跨っている場合、一例として、軌跡３０３の終端３０４が含まれる領域に対応する吹出口が選択されたと判定する。
【００７１】
ここで変形例として制御システム１は、例えば、操作対象装置を電動シート装置とした場合、なぞり操作の軌跡３０３に基づいて背もたれの角度の調整機能とシートクッションの上下の調整機能などを一括して設定できるように構成されても良い。
【００７２】
制御部６０は、軌跡３０３に基づいて吹出口と風量を判定したのち、判定した吹出口と風量の情報である操作情報Ｓ６を空調装置８９に出力する。
【００７３】
以下では、制御システム１の動作の一例について図６のフローチャートに従って説明する。なお以下では、図２（ａ）に示すメニューリスト８７８からエアコンが選択され、メニュー表示領域８７４に空調設定画面８７９が表示された後の動作について説明する。
【００７４】
（動作）
制御装置６の制御部６０は、タッチパッドユニット２ａ及びタッチパッドユニット２ｂから検出情報Ｓ１及び検出情報Ｓ３を取得し、操作がなされるか監視する。制御部６０は、例えば、ステップ１の「Ｙｅｓ」が成立する、つまり操作が検出されると（Ｓｔｅｐ１：Ｙｅｓ）、なぞり操作の軌跡３０３に基づいて吹出口と風量の判定を開始する（Ｓｔｅｐ２）。
【００７５】
制御部６０は、判定した吹出口と風量に基づいて空調装置８９の吹出口と風量を設定するための操作情報Ｓ６を生成して空調装置８９に出力して処理を終了する（Ｓｔｅｐ３）。空調装置８９は、取得した操作情報Ｓ６に基づいて吹出口と風量を設定する。
【００７６】
（実施の形態の効果）
本実施の形態に係る制御システム１は、空調装置８９の２つの機能の状態を一度の操作によって一括して設定することができる。具体的には、制御システム１は、軌跡３０３の方向によって吹出口を判定し、軌跡３０３の長さによって風量を判定する。従って制御システム１は、ユーザによる一度のなぞり操作によって吹出口と風量を一括して設定することができる。
【００７７】
図７（ａ）は、軌跡に応じて３つの機能の状態を一括して設定する一例について説明するための概略図であり、図７（ｂ）は、温度を上げる又は下げる判定の一例を説明するための概略図である。
【００７８】
他の実施の形態として制御部６０は、図７（ａ）及び図７（ｂ）に示すように、軌跡３０３の終端３０４が上に向かっている場合は温度を上げ、軌跡３０３の終端３０４が下に向かっている場合は温度を下げるように空調装置８９を制御する。
【００７９】
具体的には、制御部６０は、タッチパッド３の操作面３０ａになされたなぞり操作の軌跡３０３に沿う基準線３０５を算出し、終端３０４から基準線３０５に下した垂線３０６の長さに応じて温度の上げ幅、又は下げ幅を判定する。
【００８０】
基準線３０５は、図７に一点鎖線で示すように、軌跡３０３に近似的に沿う直線である。また制御部６０は、意図しない温度の設定を抑制するため、垂線３０６の長さにしきい値を設け、垂線３０６の長さがしきい値未満である場合、温度の設定を行わない。
【００８１】
制御部６０は、なぞり操作の軌跡３０３の長さによって風量を設定し、方向によって吹出口を設定し、終端３０４から基準線３０５に下した垂線３０６の長さから温度を設定することができる。よって制御システム１は、一度の操作によって３つの機能の状態を設定することができる。
【００８２】
以上、本発明のいくつかの実施の形態及び変形例を説明したが、これらの実施の形態及び変形例は、一例に過ぎず、特許請求の範囲に係る発明を限定するものではない。これら新規な実施の形態及び変形例は、その他の様々な形態で実施されることが可能であり、本発明の要旨を逸脱しない範囲で、種々の省略、置き換え、変更などを行うことができる。また、これら実施の形態及び変形例の中で説明した特徴の組合せの全てが発明の課題を解決するための手段に必須であるとは限らない。さらに、これら実施の形態及び変形例は、発明の範囲及び要旨に含まれると共に、特許請求の範囲に記載された発明とその均等の範囲に含まれる。
【符号の説明】
【００８３】
１…制御システム、２…入力装置、２ａ，２ｂ…タッチパッドユニット、３…タッチパッド、４…スイッチ、５…表示装置、６…制御装置、７…空調設定画像、８…車両、９ａ…左手、９ｂ…右手、１０…筐体、３０…本体、３０ａ…操作面、４０…ボタン、６０…制御部、７１〜７５…第５の画像、７６〜７８…第３の吹出口領域、８０ａ…運転席、８０ｂ…助手席、８１ａ…フロアコンソール、８１ｂ…センターコンソール、８１ｃ…インストルメントパネル、８１ｄ…ドアトリム、８２…タッチパッド、８３…メータパネル、８４…メータディスプレイ、８５…ステアリング、８６…メインディスプレイ、８７…ヘッドアップディスプレイ、８８…フロントガラス、８９…空調装置、３０１…メニュー入力領域、３０２…ダイレクト入力領域、３０２ａ〜３０２ｃ…第１のタッチ領域〜第３のタッチ領域、３０２ｄ〜３０２ｆ…第１のタッチ領域〜第３のタッチ領域、３０３…軌跡、３０４…終端、３０５…基準線、３０６…垂線、８５０…基部、８５１，８５２…スポーク部、８５３…リング部、８７０…投影領域、８７１…左表示領域、８７２…右表示領域、８７３…中央表示領域、８７３ａ…画像、８７４…メニュー表示領域、８７５…ダイレクト表示領域、８７５ａ〜８７５ｃ…アイコン、８７６…メニュー表示領域、８７７…ダイレクト表示領域、８７７ａ〜８７７ｃ…アイコン、８７８…メニューリスト、８７９…空調設定画面、８８０…ルームミラーモニタ、８９０…画像情報
【図１】
2020157926.tif 000003
【図２】
2020157926.tif 000004
【図３】
2020157926.tif 000005
【図４】
2020157926.tif 000006
【図５】
2020157926.tif 000007
【図６】
2020157926.tif 000008
【図７】
2020157926.tif 000009